(57)【要約】【課題】装置の内部空間に配置される各部材のスペース効率を向上して、装置の小型化を実現する手段を提供する。【解決手段】印刷装置１０は、引出口１８を有する筐体１４と、筐体１４の内部空間に位置するガイドローラ２１、搬送路２２、第１搬送ローラ対５４、第２搬送ローラ対５５、印刷ヘッド２４と、引出口１８から引き出し可能なホルダ９０と、を具備する。ホルダ９０は、ロール体１１を回転可能に支持するスピンドル９２と、スピンドル９２に支持されたロール体１１から引き出されたシートを引出可能に保持するニップローラ９３，９４と、を有する。ホルダ９０が筐体１４に装着された状態において、ガイドローラ２１及びニップローラ９３，９４は、スピンドル９２より前後方向８の後方に位置する。【選択図】図４
2020163725.tif 000002
【特許請求の範囲】
【請求項１】
内部空間を有しており、当該内部空間と外部とを連通する引出口を外壁に有する筐体と、
上記筐体の内部空間において、ロール体から引き出されたシートの印刷面と反対の面が接触する曲面を有するガイド部材と、
上記ガイド部材から上記外壁に向かう搬送向きへ上記シートを案内する搬送路と、
上記搬送路において上記搬送向きへ上記シートを搬送する搬送部材と、
上記筐体の内部空間において、上記搬送向きに搬送されるシートに印刷材を付着させて印刷する印刷部と、
上記外壁の引出口から引き出し可能なホルダと、を具備しており、
上記ホルダは、
上記搬送向きと直交する延出方向に沿って延びており、上記ロール体を回転可能に支持する支持部材と、
上記支持部材に支持された上記ロール体から引き出されたシートを引出可能に保持する保持部材と、を有しており、
上記ホルダが上記筐体に装着された状態において、上記ガイド部材及び上記保持部材は、上記支持部材より上記搬送向きの上流に位置する印刷装置。
【請求項２】
上記保持部材は、上記ロール体から上記搬送向きと反対向きに引き出されたシートを保持する請求項１に記載の印刷装置。
【請求項３】
上記ホルダが上記筐体に装着された状態において、上記ガイド部材は、上記支持部材より上方に位置する請求項１又は２に記載の印刷装置。
【請求項４】
上記印刷部と対向するシート支持部材を更に具備しており、
上記シート支持部材は、上記ホルダとともに上記筐体から取り外されない請求項１から３のいずれかに記載の印刷装置。
【請求項５】
上記ホルダは、ホルダ筐体を有しており、
上記ホルダ筐体に、上記シートの先端位置を示すマークが記されている請求項１から４のいずれかに記載の印刷装置。
【請求項６】
上記保持部材は、上記搬送向きに沿った方向において、上記支持部材と上記マークとの間に位置する請求項５に記載の印刷装置。
【請求項７】
上記ホルダ筐体は、上記引出口を塞いだ状態において外部へ露出される把手を更に有する請求項５又は６に記載の印刷装置。
【請求項８】
上記把手は、上下方向を長手方向として延びる棒形状である請求項７に記載の印刷装置。
【請求項９】
上記ホルダ筐体は、上記引出口を塞ぐ壁に透光性の窓を有する請求項５から８のいずれかに記載の印刷装置。
【請求項１０】
上記ホルダは、上記支持部材の上方が外部へ露出されている請求項１から９のいずれかに記載の印刷装置。
【請求項１１】
上記外壁を貫通しており、上記印刷部によって上記印刷材が印刷された上記シートが排出される排出口を更に具備する請求項１から１０のいずれかに記載の印刷装置。
【請求項１２】
上記外壁に設けられており、ユーザの入力を受け付ける入力部を更に具備する請求項１から１１のいずれかに記載の印刷装置。
【請求項１３】
上記筐体の内部空間に位置しており、印刷材を貯留するタンクと、
上記外壁を貫通しており、上記タンクを外部へ露出する開口と、
上記開口を開閉するカバーと、を更に具備する請求項１から１２のいずれかに記載の印刷装置。
【請求項１４】
内部空間を有しており、当該内部空間と外部とを連通する引出口を外壁に有する筐体と、
上記筐体の内部空間において、ロール体から引き出されたシートを、上記外壁に向かう搬送向きへ搬送する搬送部材と、
上記筐体の内部空間において、上記搬送向きに搬送されるシートに印刷材を付着させて印刷する印刷部と、
上記外壁の上記引出口から引き出し可能なホルダと、を具備しており、
上記ホルダは、
上記搬送向きと直交する延出方向に沿って延びており、上記ロール体を回転可能に支持する支持部材と、
上記引出口から引き出された状態において、上記ロール体を上記延出方向に沿って移動させることにより上記支持部材に装填可能に、上記支持部材の一端を外部へ露出するホルダ筐体と、を有する印刷装置。
【請求項１５】
上記ホルダ筐体は、上記引出口を塞ぐ第１壁と、上記支持部材の他端を支持する第２壁と、を少なくとも有する請求項１４に記載の印刷装置。
【発明の詳細な説明】
【技術分野】
【０００１】
本発明は、支持部材に装填されたロール体から引き出されたシートに印刷する印刷装置に関する。
【背景技術】
【０００２】
例えば、ロール体から繰り出されたシートに印刷する印刷装置が知られている。印刷装置の内部空間において、ロール体は、ロール体装着に支持されている。装置ケースにはロール体供給口が設けられている。ロール体供給口は、装置ケースに回動可能に設けられた外装カバーの回動によって開閉される（特許文献１参照）。
【先行技術文献】
【特許文献】
【０００３】
【特許文献１】特開２０１５−１２０５７８号公報
【発明の概要】
【発明が解決しようとする課題】
【０００４】
ロール体から引き出されたシートは、プリント部に搬送されて印刷される。ロール体からプリント部までの搬送経路が長くなると、印刷装置の内部空間に配置する各部材のスペース効率が悪くなる。その結果、装置が大型化するという問題がある。
【０００５】
また、外装カバーを回動するためには、印刷装置の周囲に、開かれた外装カバーが位置する空間を要する。ロール体供給口が広いほど、外装カバーが大きくなり、その結果、印刷装置の周囲に要する外装カバーのための空間も広くなる。したがって、印刷装置にロール体を装填するために、印刷装置の周囲に広い空間が必要となる。
【０００６】
本発明は、前述された事情に鑑みてなされたものであり、その目的の一つは、装置の内部空間に配置される各部材のスペース効率を向上して、装置の小型化を実現する手段を提供することにある。
【０００７】
また、本発明の他の目的は、印刷装置にロール体を装填するために要する空間を小さくできる手段を提供することにある。
【課題を解決するための手段】
【０００８】
本発明に係る印刷装置は、内部空間を有しており、当該内部空間と外部とを連通する引出口を外壁に有する筐体と、上記筐体の内部空間において、ロール体から引き出されたシートの印刷面と反対の面が接触する曲面を有するガイド部材と、上記ガイド部材から上記外壁に向かう搬送向きへ上記シートを案内する搬送路と、上記搬送路において上記搬送向きへ上記シートを搬送する搬送部材と、上記筐体の内部空間において、上記搬送向きに搬送されるシートに印刷材を付着させて印刷する印刷部と、上記外壁の引出口から引き出し可能なホルダと、を具備する。上記ホルダは、上記搬送向きと直交する延出方向に沿って延びており、上記ロール体を回転可能に支持する支持部材と、上記支持部材に支持された上記ロール体から引き出されたシートを引出可能に保持する保持部材と、を有する。上記ホルダが上記筐体に装着された状態において、上記ガイド部材及び上記保持部材は、上記支持部材より上記搬送向きの上流に位置する。
【発明の効果】
【０００９】
本発明によれば、支持部材からガイド部材までの搬送経路を短くできる。
【図面の簡単な説明】
【００１０】
【図１】図１は、印刷装置１０の前壁３１側の斜視図である。
【図２】図２は、カバー１６が開かれた状態の印刷装置１０の斜視図である。
【図３】図３は、ホルダ９０が引出口１８から引き出される状態の印刷装置１０の斜視図である。
【図４】図４は、図１のＩＩ−ＩＩ断面の模式図である。
【図５】図５は、ホルダ９０の斜視図である。
【図６】図６は、ホルダ下壁９６の上面９６Ａに記されたマーク１００を示す拡大斜視図である。
【図７】図７は、変形例に係る印刷装置１０の内部構成を示す模式図である。
【図８】図８は、他の変形例に係る印刷装置１０の内部構成を示す模式図である。
【発明を実施するための形態】
【００１１】
以下、本発明の実施形態に係る印刷装置１０について説明する。なお、以下に説明される実施形態は本発明の一例にすぎず、本発明の要旨を変更しない範囲で、実施形態を適宜変更できることは言うまでもない。また、以下の説明では、矢印の起点から終点に向かう進みが向きと表現され、矢印の起点と終点とを結ぶ線上の往来が方向と表現される。また、以下の説明においては、印刷装置１０が使用可能に設置された状態（図１の状態）を基準として上下方向７が定義され、排出口１３が設けられている側を手前側（前面）として前後方向８が定義され、印刷装置１０を手前側（前面）から視て左右方向９が定義される。
【００１２】
［印刷装置１０の外観構成］
図１に示されるように、印刷装置１０は、インクジェット記録方式でロール体１１（図４参照）などに画像を記録する。筐体１４は、壁により内部空間が区画された概ね直方体形状である。筐体１４は、左右方向に離れて位置する右壁３５及び左壁３６と、上下方向７に離れて位置して右壁３５と左壁３６とを繋ぐ上壁３３及び下壁３４と、前後方向８に離れて位置して上壁３３と下壁３４とを繋ぐ前壁３１及び後壁３２と、を有する。
【００１３】
筐体１４は、卓上に載置可能な大きさである。すなわち、印刷装置１０は、卓上に載置されて使用されるに適している。もちろん、印刷装置１０は、床面に載置されて使用されてもよい。
【００１４】
筐体１４の前壁３１には、前壁３１を貫通して内部空間と通じる排出口１３が形成されている。排出口１３は、前壁３１の右上部に位置する。前壁３１における排出口１３の左方に、操作パネル１７（入力部の一例）が位置する。操作パネル１７は、例えば、ディスプレイや入力キーなどを有する。ユーザは、操作パネル１７において印刷装置１０を動作させたり各種設定を確定したりするための入力を行う。
【００１５】
前壁３１における、操作パネル１７の下方にカバー１６が設けられている。カバー１６の前面の上端部には、手掛け１６Ａが設けられている。手掛け１６Ａは、カバー１６の前面から突出又は凹陥している。手掛け１６Ａは、ユーザがカバー１６を操作するときに、指を引っかけるためのものである。図２に示されるように、カバー１６は、下端側において左右方向９に沿った回動軸周りに回転することによって開かれる。カバー１６が開かれることにより、開口１２を通じて、筐体１４の内部空間が露出される。カバー１６の後方にはタンク７０が位置する。閉じられた状態のカバー１６の外面は、筐体１４の前壁３１の一部である。
【００１６】
図２に示されるように、筐体１４の内部空間であってカバー１６の後方に、タンク７０が位置する。タンク７０にインクが貯留される。タンク７０は、筐体１４に対して着脱可能なカートリッジタイプである。図示されていないが、タンク７０からチューブを通じてインクが印刷ヘッド２４（図４参照）に供給される。
【００１７】
インクは、顔料などを含む液体である。インクは、顔料を均一に分散させるに適した粘度を有している。顔料は、インクの色となるものである。
【００１８】
図３に示されるように、前壁３１における、カバー１６の右方に引出口１８が設けられている。引出口１８は、筐体１４の内部空間と外部とを連通する。引出口１８には、ホルダ９０が挿入される。図１に示されるように、引出口１８に挿入されたホルダ９０のホルダ前壁９５は、前壁３１と一体に筐体１４の外壁を構成する。ホルダ９０の詳細な構成は後述される。なお、図３においては、ロール体１１が省略されている。
【００１９】
右壁３５には、窓３９が設けられている。窓３９は、右壁３５を貫通する貫通孔を塞ぐ透光性の部材である。窓３９は、筐体１４の内部空間に位置するロール体１１を外部から視認するためのものである。
【００２０】
［印刷装置１０の内部構成］
図４に示されるように、筐体１４の内部空間には、搬送路２２が形成されている。筐体１４の内部空間には、ガイドローラ２０，２１、第１搬送ローラ対５４、第２搬送ローラ対５５、プラテン２５、及びタンク７０が配置されている。なお、同図には示されていないが、筐体１４の内部空間には、印刷ヘッド２４のノズル面を覆うキャップやノズル面を拭うワイパなどのメンテナンスユニット、制御基板、電源回路などのその他の部材が配置されていてもよい。
【００２１】
印刷ヘッド２４（印刷部の一例）は、吐出モジュール２４２を備える。吐出モジュール２４２において、複数のノズル３０が左右方向９に並んで配置されている。複数のノズル３０から、インク滴がプラテン２５へ向かって下方へ吐出される。なお、図４においては、前後方向８に離れた２つのノズル３０のみが示されているが、複数のノズル３０は、左右方向９に沿って並んでおり、また、前後方向８に沿っても２以上の複数が並んでいてもよい。
【００２２】
ガイドローラ２０，２１は、筐体１４の内部空間であって後壁３２付近において、ガイドローラ２１がガイドローラ２０より上方に位置して上下方向７に並んで配置されている。ガイドローラ２０，２１は、左右方向９を軸方向とする細長なローラである。ロール体１１から後方へ引き出されたシートは、ガイドローラ２０に巻き付いて上方へ延びる。ガイドローラ２０から上方に延びたシートは、ガイドローラ２１に巻き付いて前壁３１へ向かって延びる。ガイドローラ２１がガイド部材の一例である。ガイドローラ２１のローラ面が、曲面の一例である。ガイドローラ２１のローラ面には、シートの印刷面と反対側の面が接触する。
【００２３】
図４に示されるように、ホルダ９０の後端付近から、ガイドローラ２０、ガイドローラ２１、排出口１３に亘って搬送路２２が形成されている。ホルダ９０の後端付近からガイドローラ２１までにおいて、搬送路２２は湾曲しているので、搬送路２２を区画するガイド部材も曲面を有する。ガイドローラ２１と排出口１３との間において、搬送路２２は、前後方向８に沿って、ほぼ直線状に延びている。搬送路２２は、シートが通過可能な空間である。搬送路２２は、上下方向７に離れて位置するガイド部材や、ガイドローラ２１、印刷ヘッド２４、プラテン２５などによって画定されている。ガイドローラ２１と排出口１３との間の搬送路２２において、前向きが搬送向きである。
【００２４】
図４に示されるように、搬送路２２における印刷ヘッド２４よりも搬送向きの上流に、第１搬送ローラ対５４（搬送部材の一例）が設けられている。第１搬送ローラ対５４は、第１搬送ローラ６０とピンチローラ６１とを有する。搬送路２２において、印刷ヘッド２４よりも搬送向きの下流に、第２搬送ローラ対５５（搬送部材の一例）が設けられている。第２搬送ローラ対５５は、第２搬送ローラ６２とピンチローラ６３とを有する。第１搬送ローラ６０及び第２搬送ローラ６２は、モータ（不図示）の回転が伝達されて回転する。ピンチローラ６１は、第１搬送ローラ６０へ向かって付勢されている。ピンチローラ６３は、第２搬送ローラ６２へ向かって付勢されている。第１搬送ローラ対５４及び第２搬送ローラ対５５は、それぞれを構成する各ローラの間にロール体１１から延びたシートを挟持した状態において、第１搬送ローラ６０及び第２搬送ローラ６２が回転することによって、シートを搬送向きに搬送する。
【００２５】
図４に示されるように、第１搬送ローラ対５４と第２搬送ローラ対５５との間の搬送路２２に、印刷ヘッド２４、及びプラテン２５が位置する。
【００２６】
図４に示されるように、印刷ヘッド２４の下方に、プラテン２５（シート支持部材の一例）が位置する。プラテン２５の上面は、印刷ヘッド２４の各ノズル３０が開口する面と平行である。プラテン２５の上面の左右方向９に沿った寸法は、ロール体１１の左右方向９に沿った寸法よりも大きい。プラテン２５は、その上面において、第１搬送ローラ対５４及び第２搬送ローラ対５５によって搬送されるシートを支持する。同図には示されていないが、負圧や静電気によって、プラテン２５の上面にシートが吸着されてもよい。プラテン２５は、ホルダ９０には取り付けられていないので、ホルダ９０が筐体１４から引き出されても、プラテン２５は移動せずに筐体１４の内部空間に位置する。
【００２７】
［ホルダ９０］
図１及び図２に示されるように、ホルダ９０は、筐体１４の前壁３１に形成された引出口１８に対して挿入及び引出し可能である。
【００２８】
図５に示されるように、ホルダ９０は、ホルダ筐体９１、スピンドル９２、及びニップローラ９３，９４を有する。
【００２９】
ホルダ筐体９１は、ホルダ前壁９５（第１壁の一例）、ホルダ下壁９６、及びホルダ側壁９７（第２壁の一例）を有する。ホルダ前壁９５は、ホルダ９０が引出口１８に挿入された状態（図１参照）において、引出口１８を塞ぐ。ホルダ下壁９６は、ホルダ前壁９５の下端から前後方向８の後方へ向かって延びている。ホルダ側壁９７は、ホルダ前壁９５の左端から前後方向８の後方へ向かって延びており、ホルダ前壁９５とホルダ下壁９６とを繋いでいる。ホルダ筐体９１の上方、後方、右方には、壁が存在せずに開放されている。
【００３０】
ホルダ前壁９５の後方であって、ホルダ下壁９６の上方には、左右方向９に沿って延びるスピンドル９２（支持部材の一例）が位置する。スピンドル９２の左端は、ホルダ側壁９７に支持されている。ホルダ筐体９１の上方及び右方には壁が存在しないので、スピンドル９２の右端は、ホルダ９０が筐体１４から取り外された状態において、外部へ露出されており、また、スピンドル９２の上方も外部へ露出されている。スピンドル９２は、ロール体１１を支持する。スピンドル９２は、筐体１４の内部空間に位置する不図示のモータから回転が伝達されて回転する。スピンドル９２の回転に伴って、スピンドル９２に支持されているロール体１１も回転する。図４に示されるように、ホルダ９０が筐体１４に装着された状態において、ガイドローラ２１は、スピンドル９２より上方に位置する。
【００３１】
ホルダ下壁９６には、ニップローラ９３が設けられている。ニップローラ９３は、前後方向８においてスピンドル９２よりも後方に位置する。ニップローラ９３は、左右方向９を軸線方向として回転する。ニップローラ９３の一部分は、ホルダ下壁９６の上面９６Ａよりも下方に位置する。すなわち、ニップローラ９３の一部分は、ホルダ下壁９６の内部に収容されている。ニップローラ９３のローラ面の上端部分は、ホルダ下壁９６の上面９６Ａよりも上方に突出している。ニップローラ９３は、筐体１４の内部空間に位置する不図示のモータから駆動伝達されて回転する。
【００３２】
ニップローラ９３の上方にニップローラ９４が位置する。ニップローラ９４は、ホルダ側壁９７に支持されている。ニップローラ９４の軸線は、ニップローラ９３の軸線と平行である。ニップローラ９３のローラ面とニップローラ９４のローラ面とは当接ないし近接している。ニップローラ９３，９４の各ローラ面の間を、スピンドル９２に支持されたロール体１１から引き出されたシート１１Ａ（図６参照）が通過する。シートが後方へ引き出されることに伴って、ニップローラ９３，９４が連れ回る。ニップローラ９３，９４は保持部材の一例である。
【００３３】
図５及び図６に示されるように、ホルダ下壁９６の上面９６Ａには、マーク１００が記されている。マーク１００は、前後方向８において、ニップローラ９３，９４より後方に位置する。換言すれば、ニップローラ９３，９４は、前後方向８において、スピンドル９２とマーク１００との間に位置する。
【００３４】
マーク１００は、左右方向９に沿って延びる直線１０１と、直線１０１の後方に位置する三角印１０２と、から構成されている。三角印１０２は、角の１つが前方へ向き、残りの２つの角が左右方向９に沿って並んでいる。直線１０１及び三角印１０２は、いずれも、ロール体１１から引き出されたシート１１Ａの先端の位置を示している。マーク１００は、ホルダ下壁９６の上面９６Ａにエンボス加工などの凹凸によって記されていてもよいし、インクなどによって印刷されていてもよいし、マーク１００が印刷されたシールなどが上面９６Ａに貼られていてもよい。
【００３５】
図５に示されるように、ホルダ前壁９５には、前方へ向かって突出する把手９８が形成されている。把手９８は、ホルダ９０が筐体１４に装着された状態において、筐体１４の外部へ露出される。把手９８は、平らな棒形状であって、上下方向７を長手方向として延びている。把手９８は、前方へ向かって湾曲するＣ字形状であって、上下方向７の中央部分が、前後方向８においてホルダ前壁９５と離れている。したがって、ユーザは、側方から手や指を把手９８の後方へ差し入れることによって、把手９８を握ることができる。
【００３６】
ホルダ前壁９５には、透光性の窓９９が形成されている。窓９９は、ホルダ前壁９５において、把手９８の左方に位置する。窓９９の大きさや形状は特に限定されないが、スピンドル１９に支持されたロール体１１の残り量が確認できることが望ましい。その一例として、上下方向７において、窓９９の下端は、スピンドル１９付近にあり、窓９９の上端は、スピンドル１９に支持された新品のロール体１１の上端付近にある。窓９９は、貫通孔であってもよいし、貫通孔に透光性の部材がはめ込まれて構成されてもよい。
【００３７】
［印刷装置１０の動作］
以下、印刷装置１０による画像記録動作が説明される。
印刷データを受信した印刷装置１０は、不図示のモータを制御して、スピンドル９２、ニップローラ９３、ガイドローラ２０，２１、第１搬送ローラ６０、第２搬送ローラ６２を回転させる。これにより、ロール体１１のシートの先端が、印刷ヘッド２４の下方へ送り出される。送り出されたロール体１１のシートは、ロールにおいて径方向の外向きとなる面が、印刷ヘッド２４と対向する。そして、印刷装置１０は、各ローラを回転させつつ、印刷データに基づいて、印刷ヘッド２４からシートへ向けてインクを吐出させる。印刷ヘッド２４から吐出されたインク滴は、プラテン２５に支持されているシートに付着する。
【００３８】
印刷装置１０は、印刷データに基づく印刷が終了したと判定したことに応じて、ロール体１１から引き出されたシートのうち印刷がされた部分が排出口１３から筐体１４の外部へ出るまでシートを搬送させてから、不図示のモータを制御して、スピンドル９２、ニップローラ９３、ガイドローラ２０，２１、第１搬送ローラ６０、及び第２搬送ローラ６２の回転を停止する。
【００３９】
［ロール体１１の交換作業］
以下、ロール体１１の交換作業が説明される。
印刷によってシートが使用され、スピンドル９２に支持されているロール体１１からすべてのシートが引き出されると、ユーザによりロール体１１が交換される。ロール体１１の交換作業において、ユーザは、図１に示されるように筐体１４に装着されているホルダ９０の把手９８を握って、ホルダ９０を前後方向８の前方へ引き出す。これにより、ホルダ９０が筐体１４からスライドされて、図３及び図６に示される開位置とする。これにより、筐体１４の引出口１８から引き出される。
【００４０】
ホルダ９０は、図５に示されるように、筐体１４から完全に引き出されてもよいし、スピンドル９２に新しいロール体１１を装填可能な程度に、筐体１４から引き出されてもよい。筐体１４から引き出されたホルダ９０において、スピンドル９２の右端及び上方が外部へ露出される。
【００４１】
ユーザは、ホルダ筐体９１の右方から、使用済みのロール体１１をスピンドル９２に対して右方へ移動させて、使用済みのロール体１１をスピンドル９２から取り外す。そして、新しいロール体１１を、スピンドル９２の右端の右方に位置させ、左方へ移動させることにより、スピンドル９２に装填する。
【００４２】
そして、ユーザは、スピンドル９２に装填した新しいロール体１１からシートを引き出してニップローラ９３，９４の間に挿通させて、マーク１００が示す先端位置まで引き出す。
【００４３】
そして、ユーザが、ホルダ９０を引出口１８に挿入して筐体１４に装着すると、ニップローラ９３、ガイドローラ２０，２１、及び第１搬送ローラ６０が回転して、ロール体１１から引き出されたシートが、搬送路２２を区画するガイド部材に案内されて第１搬送ローラ対５４へ導かれ、第１搬送ローラ対５４に挟持される。
【００４４】
［実施形態の作用効果］
印刷装置１０によれば、スピンドル９２に支持されたロール体１１からシート１１Ａが後方に引き出されるので、スピンドル９２からガイドローラ２１までの搬送経路が短くなる。これにより、筐体１４の内部空間において搬送路２２を区画するための各部材が占める領域を小さくすることができるので、筐体１４の内部空間における各部材のスペース効率がよい。
【００４５】
また、ホルダ９０が筐体１４の引出口１８から引き出されることにより、スピンドル９２へロール体１１を直接に装填するためのアクセスができるので、筐体１４の右方や左方に、ロール体１１を装填するための空間を設ける必要がない。また、ホルダ筐体９１の上方が開放されているので、スピンドル９２へロール体１１を装填する作業がホルダ９０の上方から視認できる。また、ホルダ９０の上方からスピンドル９２にアクセス可能である。
【００４６】
また、ホルダ９０におけるホルダ下壁９６の上面９６Ａにマーク１００が記されているので、ロール体１１から引き出したシート１１Ａの先端をセットすべき位置をユーザが容易に理解できる。
【００４７】
また、ホルダ９０のホルダ前壁９５に把手９８が設けられているので、ユーザが把手９８を持つことにより、ホルダ９０を筐体１４から引き出す作業がしやすい。また、筐体１４から取り外したホルダ９０をユーザが持つことが容易である。
【００４８】
また、把手９８が上下方向７を長手方向として延びているので、比較的重量のあるロール体１１が装填されたホルダ９０をユーザが持つことが容易である。
【００４９】
また、ホルダ前壁９５に窓９９が設けられているので、ホルダ９０が筐体１４に装着された状態で、筐体１４の内部空間にあるロール体１１を、筐体１４の外部から窓９９を通じて視認できる。
【００５０】
また、印刷装置１０においては、スピンドル９２へのロール体１１の装填作業、印刷後のシートへのアクセス、操作パネル１７への入力作業、タンク７０へのアクセスを、筐体１４の前方から行うことができる。
【００５１】
［変形例］
前述された実施形態では、ホルダ９０において、ロール体１１から引き出されたシート１１Ａは後方へ送り出されるが、これに代えて、図７に示されるように、ロール体１１から引き出されたシートが、ニップローラ９３，９４によって上方に送り出されてもよい。この場合、ニップローラ９３，９４は、スピンドル９２より後方且つ上方に位置する。そして、ガイドローラ２０が省略されて、ニップローラ９３，９４からガイドローラ２１にシートが案内されるように搬送路が形成される。
【００５２】
前述された実施形態では、ホルダ９０において、ホルダ筐体９１の上方及び右方は開放されているが、ホルダ筐体９１の上方及び右方を覆うカバーが設けられてもよい。例えば、カバーはホルダ筐体９１に対して着脱可能である。ロール体１１が交換されるときは，ホルダ筐体９１からカバーが取り外される。
【００５３】
また、ホルダ９０に設けられたニップローラ９３，９４に代えて、シートの左右方向９の両端をそれぞれ上方からホルダ下壁９６へ向かって押さえる押さえ部材が設けられてもよい。押さえ部材が設けられた場合、筐体１４の内部空間に、シートの先端をガイドローラ２０へ向かって送り出すピックアップローラが設けられる。
【００５４】
また、ホルダ９０に設けられた把手９８は、上下方向７を長手方向とするものに代えて、左右方向９を長手方向とするものであってもよい。
【００５５】
また、印刷装置１０の前壁３１における排出口１３、カバー１６、操作パネル１７、及びホルダ９０のレイアウトは適宜変更されてもよい。また、排出口１３、カバー１６、又は操作パネル１７が前壁３１以外に配置されてもよい。例えば、排出口１３が筐体１４の上壁３３に形成されて、排出口１３を通過する印刷済みのシートが、斜め上方や上方に排出されてもよい。
【００５６】
また、ガイドローラ２０，２１の少なくとも一方に代えて、シートに当接して案内する曲面を有するガイド部材が設けられてもよい。例えば、図８に示されるように、ガイドローラ２１に代えて、ガイド部材としてのテンショナー６６が設けられてもよい。テンショナー６６は、搬送方向の下流端部（前端部）が、左右方向９に沿って延びる軸６７によって回動可能に支持されている。同図には示されていないが、テンショナー６６が軸６７周りに回動する範囲は、ストッパなどによって、搬送路２２を閉塞しない所定の範囲に規制されている。テンショナー６６の搬送方向の上流端部（後端部）は、コイルバネ６８によって後方且つ上方へ付勢されている。テンショナー６６の外側の面に当接して第１搬送ローラ対５４へ延びるシートには、テンショナー６６によって湾曲外側へ向かって張力が付与される。
【００５７】
また、上記実施形態では、搬送路２２において第１搬送ローラ対５４及び第２搬送ローラ対５５がシートを挟持して搬送するが、これに代えて、搬送ベルトなどの他の搬送部材が用いられてもよい。
【００５８】
また、タンク７０は、ブラック１色のインクを貯留するものに限定されず、例えば、ブラック、イエロー、シアン、マゼンタの４色のインクをそれぞれ貯留するものであってもよい。また、インクの乾燥を促進するために、印刷ヘッド２４より搬送方向の下流に、シート又はインクの少なくとも一方を加熱するヒータが設けられてもよい。また、インクとしては、紫外線により硬化する樹脂を含有するインクが用いられてもよい。その場合、印刷ヘッド２４の下流に紫外線照射器が設けられる。
【００５９】
また、タンク７０は、カートリッジタイプではなく、筐体１４に固定されていてもよい。その場合は、タンク７０には、注入口７１が形成されており、注入口を通じて、タンク７０にインクが補充される。
【００６０】
また、上記実施形態では、インクジェット方式によってシートに印刷する印刷ヘッド２４が印刷部として用いられているが、これに代えて  電子写真式の印刷方式が採用されたり、サーマルヘッドが採用されたりしてもよい。
【００６１】
また、上記実施形態では、ロール体１１はスピンドル９２に支持されるが、ロール体を回転可能に支持する棒状の支持部材はスピンドル９２のように回転するものでなくてもよい。回転しない支持部材としては、例えば、ロール体１１の芯の内径よりも小さい外径の筒状又は円柱状の部材があげられる。
【００６２】
また、前述された印刷装置１０は、筐体１４の前壁３１及び後壁３２が上下方向７及び左右方向９に沿った状態で使用されるが、印刷装置１０の使用姿勢はこれに限らない。
【符号の説明】
【００６３】
１０・・・印刷装置
１２・・・開口
１３・・・排出口
１４・・・筐体
１６・・・カバー
１７・・・操作パネル（入力部）
２０，２１・・・ガイドローラ（ガイド部材）
２２・・・搬送路
２４・・・印刷ヘッド（印刷部）
２５・・・プラテン（シート支持部材）
５４・・・第１搬送ローラ対（搬送部材）
５５・・・第２搬送ローラ対（搬送部材）
７０・・・タンク
９０・・・ホルダ
９１・・・ホルダ筐体
９２・・・スピンドル（保持部材）
９５・・・ホルダ前壁（第１壁）
９７・・・ホルダ側壁（第２壁）
９８・・・把手
９９・・・窓
１００・・・マーク
【図１】
2020163725.tif 000003
【図２】
2020163725.tif 000004
【図３】
2020163725.tif 000005
【図４】
2020163725.tif 000006
【図５】
2020163725.tif 000007
【図６】
2020163725.tif 000008
【図７】
2020163725.tif 000009
【図８】
2020163725.tif 000010